(57)【要約】【課題】開閉装置がどの状態にある場合でも、開閉装置が施工の邪魔にならず、しかも、本体ケース内の配置スペースを広くとることのできる浴室暖房乾燥機を提供する。【解決手段】本発明の浴室暖房乾燥機１は、換気ユニット２に連通接続させるものであり、本体ケース１０と、本体ケース１０に形成される換気接続口１０７と、換気接続口１０７を開閉する開閉装置１８とを具備する。開閉装置１８は、複数枚の回転板１８１，１８１…をそれぞれの支軸１８２まわりに回転させ、全閉姿勢と全開姿勢との間で姿勢変更させる。複数枚の回転板１８１，１８１…は、どの姿勢にあるときも、本体ケース１０の一側面１０６よりも内方に位置するように位置させる。【選択図】図１
2015183920.tif 000002
【特許請求の範囲】
【請求項１】
浴室の天井に設置される本体ケースと、
前記本体ケースの内部空間に配置される循環ファンと、
前記内部空間に設置される熱交換器と、
前記本体ケースに形成され、前記循環ファンによって前記浴室内の空気を前記内部空間に吸い込むように構成された吸込口と、
前記本体ケースに形成され、前記内部空間に導入された前記空気を前記浴室内に吹き出すように構成された吹出口と、
前記本体ケースの一側面に形成され、隣接する換気ユニットが有する通気口に対して連通接続される換気接続口と、
前記本体ケースに設置され、前記換気接続口を開閉する開閉装置とを具備し、
前記開閉装置は、
複数枚の回転板と、前記複数枚の回転板がそれぞれ有する支軸と、前記複数枚の回転板をそれぞれの前記支軸まわりに回転させ、前記複数枚の回転板を全閉姿勢と全開姿勢との間で姿勢変更させる駆動部とを有し、
前記複数枚の回転板が、前記全閉姿勢から前記全開姿勢の間のいずれの姿勢にあるときも、前記本体ケースの前記一側面よりも内方に位置するように、前記複数枚の回転板がそれぞれ有する前記支軸を、前記一側面から所定距離だけ内方に位置させたことを特徴とする浴室暖房乾燥機。
【請求項２】
前記駆動部は、
一つのモーターと、当該モーターの回転力を前記複数枚の回転板にまで減速して伝達する伝達機構とを有することを特徴とする請求項１に記載の浴室暖房乾燥機。
【発明の詳細な説明】
【技術分野】
【０００１】
本発明は、浴室暖房乾燥機に関し、詳しくは、浴室暖房乾燥機の設置作業等を容易にするための技術に関する。
【背景技術】
【０００２】
従来、浴室の天井に、浴室内の暖房や乾燥を行うための浴室暖房乾燥機が設置される。
【０００３】
特許文献１には、浴室暖房乾燥機を、換気ファンを内蔵する換気ユニットに連通接続させて設けることが開示されている。この浴室暖房乾燥機は、換気ユニットとの連通箇所を開閉する開閉装置を備える。開閉装置は、電磁石によって姿勢変更されるシャッタ体を備え、シャッタ体が開位置にあるときに、換気ユニットを通じて浴室の換気を行うことができる。換気を行わないときには、シャッタ体は閉位置に切り替える。
【先行技術文献】
【特許文献】
【０００４】
【特許文献１】特開２００３−０７４９５４号公報
【発明の概要】
【発明が解決しようとする課題】
【０００５】
前記した従来の浴室暖房乾燥機は、シャッタ体が開位置にあるときに、シャッタ体が外方に突出して位置する構造であった。そのため、浴室暖房乾燥機を設置する際や、浴室暖房乾燥機を取り外す際に、外方に突出して位置するシャッタ体が、施工の邪魔になるという課題があった。
【０００６】
これに対して、シャッタ体が開位置にあるときも邪魔にならないように、シャッタ体を、浴室暖房乾燥機の本体ケースの内方に大きく入った箇所に設置することも考えられる。しかし、このようにした場合には、浴室暖房乾燥機の本体ケース内の他の配置スペースが狭くなり、設計の自由度が低くなるという課題が生じる。
【０００７】
本発明は、前記課題を解決する発明であり、開閉装置がどの状態にあるときでも、開閉装置が施工の邪魔になることがなく、しかも、本体ケース内の配置スペースを広くとることができ、設計の自由度が高い浴室暖房乾燥機を提供することを、目的とする。
【課題を解決するための手段】
【０００８】
前記課題を解決するために、本発明を、下記構成を具備する浴室暖房乾燥機とする。
【０００９】
本発明は、浴室の天井に設置される本体ケースと、前記本体ケースの内部空間に配置される循環ファンと、前記内部空間に設置される熱交換器と、前記本体ケースに形成され、前記循環ファンによって前記浴室内の空気を前記内部空間に吸い込むように構成された吸込口と、前記本体ケースに形成され、前記内部空間に導入された前記空気を前記浴室内に吹き出すように構成された吹出口と、前記本体ケースの一側面に形成され、隣接する換気ユニットが有する通気口に対して連通接続される換気接続口と、前記本体ケースに設置され、前記換気接続口を開閉する開閉装置とを具備する浴室暖房乾燥機である。前記開閉装置は、複数枚の回転板と、前記複数枚の回転板がそれぞれ有する支軸と、前記複数枚の回転板をそれぞれの前記支軸まわりに回転させ、前記複数枚の回転板を全閉姿勢と全開姿勢との間で姿勢変更させる駆動部とを有し、前記複数枚の回転板が、前記全閉姿勢から前記全開姿勢の間のいずれの姿勢にあるときも、前記本体ケースの前記一側面よりも内方に位置するように、前記複数枚の回転板がそれぞれ有する前記支軸を、前記一側面から所定距離だけ内方に位置させたことを特徴とする。
【００１０】
前記駆動部は、一つのモーターと、当該モーターの回転力を前記複数枚の回転板にまで減速して伝達する伝達機構とを有することが好ましい。
【発明の効果】
【００１１】
本発明は、浴室暖房乾燥機の開閉装置がどの状態にあるときでも、開閉装置が施工の邪魔になることがなく、しかも、本体ケース内の配置スペースを広くとることができ、設計の自由度が高いという効果を奏する。
【図面の簡単な説明】
【００１２】
【図１】本発明の一実施形態の浴室暖房乾燥機を換気ユニットに接続させた状態を示す断面図である。
【図２】本発明の一実施形態の浴室暖房乾燥機を換気ユニットに接続させた状態を示す斜視図である。
【図３】図３Ａは、本発明の一実施形態の浴室暖房乾燥機が備える開閉装置の全開状態での側面図であり、図３Ｂは、図３Ａに示す開閉装置の背面図であり、図３Ｃは、図３Ａに示す開閉装置の斜視図である。
【図４】図４Ａは、本発明の一実施形態の浴室暖房乾燥機が備える開閉装置の全閉状態での側面図であり、図４Ｂは、図４Ａに示す開閉装置の背面図であり、図４Ｃは、図４Ａに示す開閉装置の斜視図である。
【図５】本発明の一実施形態の浴室暖房乾燥機で行う乾燥運転の作動原理を概略的に示す断面図である。
【図６】本発明の一実施形態の浴室暖房乾燥機で行う暖房運転の作動原理を概略的に示す断面図である。
【図７】本発明の一実施形態の浴室暖房乾燥機で行う換気運転の作動原理を概略的に示す断面図である。
【発明を実施するための形態】
【００１３】
本発明を、添付図面に示す実施形態に基づいて説明する。
【００１４】
図１、図２には、本発明の一実施形態の浴室暖房乾燥機１を、換気ユニット２に接続させた状態を示している。
【００１５】
浴室暖房乾燥機１は、その外郭をなす本体ケース１０を備える。本体ケース１０内には、各種の機器や風路を収納可能な内部空間１００が形成されている。
【００１６】
本体ケース１０の内部空間１００には、循環ファン１１と、熱交換器１２と、熱交換器１２に温水を供給する配管１３とを設置している。
【００１７】
図５〜図７に示すように、配管１３には、給湯暖房機等の熱源機から温水が供給される。配管１３の途中には、温水の供給を開閉する開閉弁１４と、供給する温水の温度を検出する温度センサ１５とを配している。
【００１８】
本体ケース１０の内部空間１００には、仕切り１０１を設けることで、循環ファン１１を駆動させたときに空気の流れが生じる循環風路１０２を形成している。循環風路１０２内に循環ファン１１が位置し、循環風路１０２内の循環ファン１１よりも上流側の箇所に、熱交換器１２が位置する。
【００１９】
本体ケース１０の下面には、吸込口１０３と吹出口１０４を設けている。
【００２０】
吸込口１０３は、本体ケース１０の下面を形成するグリル板１０５に設けた通気口である。吸込口１０３は、循環風路１０２の上流端に位置する。循環風路１０２の吸込口１０３の近傍には、吸い込まれた空気の温度を検出する温度センサ１６を配置している。
【００２１】
吹出口１０４は、吸込口１０３に隣接するようにグリル板１０５の一部に設けた通気口である。吹出口１０４には、可動式のルーバー１７を配置している。ルーバー１７の姿勢を変更させることで、吹出口１０４からの空気の噴出方向は変更自在である。
【００２２】
更に、本実施形態の浴室暖房乾燥機１は、本体ケース１０の外側方を向く一側面１０６に、換気ユニット２に連通接続される換気接続口１０７を備える。換気接続口１０７は、後述の開閉装置１８によって開閉される。
【００２３】
換気ユニット２は、その外郭をなすユニットケース２０の一側面２０１に、通気口２０２を設けている。浴室暖房乾燥機１の換気接続口１０７は、換気ユニット２の通気口２０２に連通接続される。
【００２４】
ユニットケース２０の内部空間２００には、換気ファン２１を設置している。ユニットケース２０には、複数の吸込口２０３，２０４を設けている。吸込口２０３は、脱衣室８内の空気を吸い込むように構成された通気口であり、吸込口２０４は、トイレルーム９内の空気を吸い込むように構成された通気口である。
【００２５】
更に、ユニットケース２０には、排気口２０５を設けている。排気口２０５は、換気ファン２１を駆動することでユニットケース２０内に吸い込んだ空気を、排気路２２を通じて屋外に排出するように構成された通気口である。
【００２６】
図５〜図７に示すように、浴室暖房乾燥機１の本体ケース１０は、浴室７の天井に設置される。換気ユニット２のユニットケース２０は、本体ケース１０に接続させて設ける。このとき、ユニットケース２０の一側面２０１と、本体ケース１０の一側面１０６とが当接し、ユニットケース２０の通気口２０２と、本体ケース１０の換気接続口１０７とが連通する。
【００２７】
次に、本実施形態の浴室暖房乾燥機１が備える開閉装置１８について、詳述する。
【００２８】
開閉装置１８は、図３Ａ〜図３Ｃ、図４Ａ〜図４Ｃに示すように、矩形状のフレーム１８０内に、三枚の回転板１８１，１８１…を回転自在に配した構造を有する。フレーム１８０内の空間は、開閉装置１８を本体ケース１０に取り付けた状態で、本体ケース１０の内部空間１００と換気接続口１０７とを連通させる空間である。
【００２９】
図３Ａ〜図３Ｃには、三枚の回転板１８１，１８１…が全開姿勢にある場合を示している。図４Ａ〜図４Ｃには、三枚の回転板１８１，１８１…が全閉姿勢にある場合を示している。
【００３０】
各回転板１８１は、平面視長方形状の板材であり、互いに直交する長手方向Ｄ１、短手方向Ｄ２及び厚み方向Ｄ３を有する。各回転板１８１は、長手方向Ｄ１に沿って突出する一対の支軸１８２を介して、フレーム１８０に支持される。一対の支軸１８２は、長手方向Ｄ１の両端部から互いに離れる方向に突出する。
【００３１】
三枚の回転板１８１，１８１…は、それぞれの支軸１８２同士が平行となるように、互いに平行に位置する。各回転板１８１は、自身が有する支軸１８２まわりに約９０°正逆回転することで、全閉姿勢と全開姿勢との間での姿勢変更を行う。
【００３２】
図３Ａ〜図３Ｃに示す各回転板１８１の全開姿勢は、各回転板１８１の短手方向Ｄ２が水平方向となる姿勢である。三枚の回転板１８１，１８１…が全開姿勢にあるとき、隣接する回転板１８１，１８１間の距離が最大となり、フレーム１８０内の空間を最大限に開放することで、換気接続口１０７を全開にする。
【００３３】
図４Ａ〜図４Ｃに示す各回転板１８１の全閉姿勢は、各回転板１８１の短手方向Ｄ２が鉛直方向となる姿勢である。三枚の回転板１８１，１８１…が全閉姿勢にあるときは、隣接する回転板１８１，１８１の短手方向Ｄ２の端部同士が当接し、三枚の回転板１８１，１８１…が一体となって、フレーム１８０内の空間を遮蔽し、換気接続口１０７を全閉にする。
【００３４】
本実施形態の開閉装置１８は、三枚の回転板１８１，１８１…を同期して回転駆動する駆動部１８３を、フレーム１８０と一体に備える。駆動部１８３は、一つのモーター１８４と、モーター１８４の回転力を三枚の回転板１８１，１８１…に減速して伝達する伝達機構１８５とを有する。
【００３５】
伝達機構１８５は、モーター１８４の回転力を三枚の回転板１８１，１８１…のうち所定の回転板１８１（以下「所定の回転板１８１ａ」という。）にまで減速して伝達する減速機構と、所定の回転板１８１ａに連結されるリンク構造１８６とを備える。リンク構造１８６は、所定の回転板１８１ａと、他の二枚の回転板１８１，１８１とを連結する構造である。
【００３６】
他の二枚の回転板１８１，１８１は、リンク構造１８６を介して、所定の回転板１８１ａと同一の姿勢に変更される。即ち、一つのモーター１８４を駆動させれば、減速伝達された回転力によって、三枚の回転板１８１，１８１…の全てが同一のタイミングで、同一の姿勢に変更される。
【００３７】
そして、本実施形態の開閉装置１８では、三枚の回転板１８１，１８１…が全閉姿勢から全開姿勢の間のいずれの姿勢にあるときも、本体ケース１０の一側面１０６よりも内方に位置するように設けている。
【００３８】
具体的には、各回転板１８１の回転中心となる支軸１８２の位置を、回転板１８１の短手方向Ｄ２の中間位置よりも、全開姿勢において外方寄りとなる位置に設けている。そして、各回転板１８１の支軸１８２を、フレーム１８０の外方を向く端面１８０ａよりも、所定距離だけ内方に位置させている。
【００３９】
これにより、各回転板１８１は、短手方向Ｄ２が水平方向となる全開姿勢においても、各回転板１８１の外方の端部が、フレーム１８０の端面１８０ａよりも外方に突出しないように設けている（図３Ａ参照）。フレーム１８０は、その外方の端面１８０ａが、本体ケース１０の一側面１０６と面一或いは一側面１０６よりも内方に位置するように取り付けるので、本実施形態の浴室暖房乾燥機１では、三枚の回転板１８１，１８１…が本体ケース１０の一側面１０６から外方に突出することがない。
【００４０】
図５には、本実施形態の浴室暖房乾燥機１での乾燥（温風乾燥）運転時の作動原理を、概略的に示している。
【００４１】
乾燥運転を行うためには、浴室７の外部に設置してある操作入力部（図示略）の「乾燥」スイッチを押す。浴室暖房乾燥機１及び換気ユニット２の制御部（図示略）は、操作入力部からの信号を受けて、開閉装置１８の各回転板１８１を全開姿勢にセットし、循環ファン１１と換気ファン２１を作動させる。制御部は、循環ファン１１と換気ファン２１の作動開始から所定時間（１〜２分程度）を経過した時点で、開閉弁１４を開いて熱交換器１２への温水の供給を開始する。
【００４２】
これにより、連通接続される浴室暖房乾燥機１と換気ユニット２には、図中に白抜き矢印で示すような空気の流れが生じる。即ち、循環ファン１１の駆動により、浴室７内の空気が吸込口１０３から循環風路１０２内に引き込まれ、循環風路１０２内で熱交換器１２によって温められたうえで、吹出口１０４及びルーバー１７を通じて浴室７内に戻される。
【００４３】
また、吸込口１０３から内部空間１００に引き込まれた空気の一部は、全開状態にある開閉装置１８を通じて換気ユニット２に導入され、排気路２２を通じて屋外に排出される。このとき、換気ユニット２によって、脱衣室８とトイレルーム９の換気も行われる。
【００４４】
この乾燥運転では、浴室７内の温度を上昇させ、且つ、浴室７内の高湿度の空気を屋外に排出することができるので、浴室７に干した衣類の乾燥や、浴室７の乾燥を行うことができる。
【００４５】
制御部は、浴室暖房乾燥機１に吸い込んだ空気が第１温度（例えば５０℃）以上になったことを温度センサ１６で検知した段階で、開閉弁１４を閉じて温水供給を停止させる。その後、浴室暖房乾燥機１に吸い込んだ空気が第２温度（例えば４５℃）以下になったことを温度センサ１６で検知した段階で、開閉弁１４を開いて温水供給を再開させる。
【００４６】
図６には、本実施形態の浴室暖房乾燥機１での暖房運転時の作動原理を、概略的に示している。
【００４７】
暖房運転を行うためには、浴室７の外部にある操作入力部の「暖房」スイッチを押す。浴室暖房乾燥機１及び換気ユニット２の制御部は、操作入力部からの信号を受けて、開閉装置１８の各回転板１８１を全閉姿勢にセットし、所定時間（１〜２分程度）を経過した時点で、開閉弁１４を開いて熱交換器１２への温水の供給を開始する。制御部は、供給する温水の温度が所定温度（例えば６０℃）を超えたことを温度センサ１５で検知した時点で、循環ファン１１を作動させる。
【００４８】
これにより、浴室暖房乾燥機１には、図中に白抜き矢印で示すような空気の流れが生じる。即ち、循環ファン１１の駆動により、浴室７内の空気が吸込口１０３から循環風路１０２内に引き込まれ、循環風路１０２内で熱交換器１２によって温められたうえで、吹出口１０４及びルーバー１７を通じて浴室７内に戻される。
【００４９】
制御部は、浴室暖房乾燥機１に吸い込んだ空気が第３温度（例えば４４℃）以上になったことを温度センサ１６で検知した段階で、開閉弁１４を閉じて温水供給を停止させる。その後、浴室暖房乾燥機１に吸い込んだ空気が第４温度（例えば４２℃）以下になったことを温度センサ１６で検知した段階で、開閉弁１４を開いて温水供給を再開させる。
【００５０】
操作入力部の「暖房」スイッチを再び押すか、或いは所定時間が経過した段階で、制御部は循環ファン１１を停止させ、開閉弁１４を閉じることで、暖房運転を停止させる。
【００５１】
ところで、２４時間換気運転中である場合や、脱衣室８やトイレルーム９の換気を行っている場合には、換気ユニット２内の換気ファン２１は弱運転される。このとき、図中に破線の矢印で示すように、換気ユニット２は脱衣室８とトイレルーム９の換気を行うが、全閉状態にある開閉装置１８が浴室暖房乾燥機１と換気ユニット２の連通部分を遮蔽するので、浴室７の温度低下は防止される。
【００５２】
図７には、本実施形態の浴室暖房乾燥機１での換気運転時の作動原理を、概略的に示している。
【００５３】
換気運転を行うためには、浴室７の外部にある操作入力部の「換気」スイッチを押す。浴室暖房乾燥機１及び換気ユニット２の制御部は、操作入力部からの信号を受けて、開閉装置１８の各回転板１８１を全開姿勢にセットし、換気ファン２１を作動させる。制御部は、循環ファン１１を停止させ、開閉弁１４を閉じた状態に維持する。
【００５４】
これにより、連通接続される浴室暖房乾燥機１と換気ユニット２には、図中に白抜き矢印で示すような空気の流れが生じる。即ち、浴室７内の空気は、浴室暖房乾燥機１及び全開状態の開閉装置１８を通じて換気ユニット２に導入され、排気路２２を通じて屋外に排出される。このとき、換気ユニット２によって、脱衣室８とトイレルーム９の換気も行われる。
【００５５】
操作入力部の「換気」スイッチを再び押すか、或いは所定時間が経過した段階で、制御部は、開閉装置１８の各回転板１８１を全閉姿勢にセットし、換気ファン２１を停止させることで、換気運転を停止させる。
【００５６】
図５〜図７に示す作動原理から分かるように、本実施形態の浴室暖房乾燥機１では、運転モードに応じて、開閉装置１８の各回転板１８１の姿勢が、全開姿勢と全閉姿勢の間で切り替わる。各回転板１８１が全開姿勢にあるとき、浴室暖房乾燥機１及び換気ユニット２を通じて浴室７の換気を行うことができ、各回転板１８１が全閉姿勢にあるときは、脱衣室８やトイレルーム９の低温の空気が浴室７内に流入することが防止される。
【００５７】
以上、添付図面に基づいて説明したように、本実施形態の浴室暖房乾燥機１は、本体ケース１０、循環ファン１１、熱交換器１２、吸込口１０３、吹出口１０４、換気接続口１０７及び開閉装置１８を具備する。本体ケース１０は、浴室７の天井に設置される。循環ファン１１と熱交換器１２は、本体ケース１０の内部空間１００に配置される。吸込口１０３は、本体ケース１０の下面に形成され、循環ファン１１によって浴室７内の空気を内部空間１００に吸い込むように構成される。吹出口１０４は、本体ケース１０の下面に形成され、内部空間１００に導入された空気を浴室７内に吹き出すように構成される。換気接続口１０７は、本体ケース１０の一側面１０６に形成され、隣接する換気ユニット２が有する通気口２０２に対して連通接続される。開閉装置１８は、本体ケース１０に設置され、換気接続口１０７を開閉する。
【００５８】
開閉装置１８は、複数枚の回転板１８１，１８１…と、複数枚の回転板１８１，１８１…がそれぞれ有する支軸１８２と、駆動部１８３とを有する。駆動部１８３は、複数枚の回転板１８１，１８１…をそれぞれの支軸１８２まわりに回転させ、複数枚の回転板１８１，１８１…を全閉姿勢と全開姿勢との間で姿勢変更させる。
【００５９】
そして、本実施形態の浴室暖房乾燥機１では、複数枚の回転板１８１，１８１…が、全閉姿勢から全開姿勢の間のいずれの姿勢にあるときも、本体ケース１０の一側面１０６よりも内方に位置するように、複数枚の回転板１８１，１８１…がそれぞれ有する支軸１８２を、一側面１０６から所定距離だけ内方に位置させている。
【００６０】
そのため、本実施形態の浴室暖房乾燥機１では、例えば各回転板１８１を駆動させるモーター１８４の通電が遮断され、各回転板１８１が遮断直前の姿勢を維持するような場合であっても、各回転板１８１が設置、取り外し等の施工の邪魔になることがない。また、施工時に各回転板１８１を破損することもない。加えて、本実施形態の浴室暖房乾燥機１では、複数枚の回転板１８１，１８１…で換気接続口１０７を閉鎖するので、各回転板１８１をコンパクトな寸法に設けることができ、各回転板１８１が回転動作するためのスペースを本体ケース１０内に大きく設ける必要がない。
【００６１】
したがって、本実施形態の浴室暖房乾燥機１では、各回転板１８１が本体ケース１０の一側面１０６から突出することを防止しながらも、本体ケース１０内の他の配置スペースは広くとることができ、設計の自由度を高くすることができる。
【００６２】
また、本実施形態の浴室暖房乾燥機１において、駆動部１８３は、一つのモーター１８４と、モーター１８４の回転力を複数枚の回転板１８１，１８１…にまで減速して伝達する伝達機構１８５とを有する。
【００６３】
そのため、本実施形態の浴室暖房乾燥機１では、一つのモーター１８４を用いて、大きな駆動力で複数枚の回転板１８１，１８１…を回転させることができ、開閉装置１８を低コストで形成することが可能となる。
【００６４】
以上、本発明を添付図面に示す実施形態に基づいて説明したが、本発明は前記実施形態に限定されない。
【００６５】
例えば、前記実施形態では、開閉装置１８に三枚の回転板１８１，１８１…を備えているが、二枚の回転板１８１，１８１を備えることや、四枚以上の回転板１８１，１８１…を備えることも可能である。前記実施形態の駆動部１８３は、一つのモーター１８４の回転力を三枚の回転板１８１，１８１…に伝達する機構を有するが、モーター１８４と回転板１８１を一対一で備え、各モーター１８４で対応する回転板１８１を回転させる機構であってもよい。また、複数枚の回転板１８１，１８１…のうち一枚の回転板１８１を、一つのモーター１８４からギアで減速された回転力によって駆動し、他の回転板１８１，１８１を、前記ギアに連動する他のギアを通じて駆動させる機構とすることも可能である。
【００６６】
その他の構成についても、本発明の意図する範囲内であれば、適宜の設計変更を行うことが可能である。
【符号の説明】
【００６７】
１      浴室暖房乾燥機
１０    本体ケース
１０３  吸込口
１０４  吹出口
１０６  一側面
１０７  換気接続口
１１    循環ファン
１２    熱交換器
１８    開閉装置
１８１  回転板
１８２  支軸
１８３  駆動部
２      換気ユニット
２０２  通気口
７      浴室
【図１】
2015183920.tif 000003
【図２】
2015183920.tif 000004
【図３】
2015183920.tif 000005
【図４】
2015183920.tif 000006
【図５】
2015183920.tif 000007
【図６】
2015183920.tif 000008
【図７】
2015183920.tif 000009